(57)【特許請求の範囲】
【請求項１】
ディスプレイとコンピュータとの間の相互接続装置において、
オーディオ信号及びビデオ信号を受け取るオーディオ／ビデオ入力部と、
前記オーディオ／ビデオ入力部に結合され、オーディオ信号及びビデオ信号を処理するオーディオ／ビデオ信号プロセッサと、
前記オーディオ／ビデオ信号プロセッサに結合され且つ前記ディスプレイに結合され、オーディオ信号及びビデオ信号を前記ディスプレイに伝送するアナログ／ディジタル・プラグ及びディスプレイ・コネクタと、
前記アナログ／ディジタル・プラグ及びディスプレイ・コネクタに結合されたユニバーサル・シリアル・バス・ハブと、
前記ユニバーサル・シリアル・バス・ハブに結合されたユニバーサル・シリアル・バス・ポートと
を備えていることを特徴とする相互接続装置。
【請求項２】
請求項１記載の相互接続装置において、前記信号プロセッサは、
前記オーディオ／ビデオ入力部に結合されオーディオ信号及びビデオ信号を受信するチューナと、
前記チューナに結合されオーディオ信号及びビデオ信号を処理するオーディオ／ビデオ・サブシステムと
を備えていることを特徴とする相互接続装置。
【請求項３】
請求項２記載の相互接続装置において、前記オーディオ／ビデオ・サブシステムは、前記アナログ／ディジタル・プラグ及びディスプレイ・コネクタに結合されていることを特徴とする相互接続装置。
【請求項４】
ディスプレイとコンピュータとの間の相互接続装置において、
オーディオ信号及びビデオ信号を受け取るオーディオ／ビデオ入力部と、
前記オーディオ／ビデオ入力部に結合され、オーディオ信号及びビデオ信号を処理するオーディオ／ビデオ信号プロセッサと、
前記オーディオ／ビデオ信号プロセッサに結合され且つ前記コンピュータに結合され、オーディオ信号及びビデオ信号を前記コンピュータに伝送するアナログ又はディジタルのプラグ及びディスプレイ・コネクタと、
前記アナログ又はディジタルのプラグ及びディスプレイ・コネクタに結合されたユニバーサル・シリアル・バス・ハブと、
前記ユニバーサル・シリアル・バス・ハブに結合された汎用シリアル・バス・ポートと
を備えていることを特徴とする相互接続装置。
【請求項５】
請求項４記載の相互接続装置において、前記オーディオ／ビデオ信号プロセッサは、
前記オーディオ／ビデオ入力部に結合されオーディオ信号及びビデオ信号を受け取る複数のオーディオ／ビデオ電子装置と、
前記オーディオ／ビデオ電子装置に結合され、前記オーディオ／ビデオ電子装置によって受け取られるオーディオ信号及びビデオ信号の処理を制御する制御電子装置と
を備えていることを特徴とする相互接続装置。
【請求項６】
請求項５記載の相互接続装置において、前記オーディオ／ビデオ信号プロセッサは更に、オーディオ／ビデオ電子装置及び前記制御電子装置に結合されたチューナを備え、該チューナは、前記コンピュータから前記制御電子装置に供給されるコマンド信号を受信し、かつオーディオ及びビデオ信号を前記オーディオ／ビデオ電子装置に供給するよう構成されていることを特徴とする相互接続装置。
【請求項７】
請求項５記載の相互接続装置において、前記オーディオ／ビデオ電子装置が前記汎用シリアル・バス・ハブに結合されていることを特徴とする相互接続装置。
【請求項８】
ＰＣシアター・システムにおいて、
第１のプラグ及びディスプレイ・コネクタを有するビデオ・ディスプレイと、
第２のプラグ及びディスプレイ・コネクタを有するコンピュータと
を備え、
前記第１のプラグ及びディスプレイ・コネクタは、前記第２のプラグ及びディスプレイ・コネクタに接続可能であり、
前記コンピュータは、オーディオ／ビデオ・ソースからオーディオ信号及びビデオ信号を受け取るオーディオ／ビデオ入力部を備え、
前記コンピュータは、前記オーディオ／ビデオ入力部に結合されオーディオ信号及びビデオ信号を処理するオーディオ／ビデオ信号プロセッサを備え、
前記オーディオ信号及び前記ビデオ信号は、前記ビデオ・ディスプレイと前記コンピュータとの間で前記のそれぞれのプラグ及びディスプレイ・コネクタを介して伝送されるよう構成されている
ことを特徴とするＰＣシアター・システム。
【請求項９】
請求項８記載のシステムにおいて、前記オーディオ／ビデオ信号プロセッサは、
前記オーディオ／ビデオ入力部に結合されオーディオ信号及びビデオ信号を受信するチューナと、
前記チューナに結合されオーディオ信号及びビデオ信号を処理するオーディオ／ビデオ・サブシステムと
を備えていることを特徴とするシステム。
【請求項１０】
請求項９記載のシステムにおいて、前記オーディオ／ビデオ／サブシステムは、前記第２のプラグ及びディスプレイ・コネクタに結合されていることを特徴とするシステム。
【請求項１１】
請求項８記載のシステムにおいて、前記オーディオ／ビデオ信号プロセッサは、
前記オーディオ／ビデオ入力部に結合され、オーディオ信号及びビデオ信号を受け取る複数のオーディオ／ビデオ電子装置と、
前記オーディオ／ビデオ電子装置に結合され、該オーディオ／ビデオ電子装置によって受け取られたオーディオ信号及びビデオ信号の処理を制御する制御電子装置と
を備えていることを特徴とするシステム。
【請求項１２】
請求項１１記載のシステムにおいて、前記オーディオ／ビデオ信号プロセッサは更に、オーディオ／ビデオ電子装置及び前記制御電子装置に結合されたチューナを備え、該チューナは、前記コンピュータから前記制御電子装置に供給される指令信号を受信し、かつオーディオ信号及びビデオ信号を前記オーディオ／ビデオ電子装置に供給するよう構成されていることを特徴とするシステム。
【請求項１３】
請求項１１記載のシステムにおいて、前記制御電子装置は、ユニバーサル・シリアル・バス・ハブに結合されていることを特徴とするシステム。
【請求項１４】
請求項８記載のシステムにおいて、前記第１のプラグ及びディスプレイ・コネクタは、アナログ・プラグ及びディスプレイ・コネクタを備えていることを特徴とするシステム。
【請求項１５】
請求項８記載のシステムにおいて、前記第１のプラグ及びディスプレイ・コネクタは、ディジタル・プラグ及びディジタル・コネクタを備えていることを特徴とするシステム。
【請求項１６】
請求項８記載のシステムにおいて、前記第２のプラグ及びディスプレイ・コネクタは、アナログ／ディジタル・プラグ及びディジタル・コネクタを備えていることを特徴とするシステム。
【請求項１７】
ビデオ・ディスプレイとコンピュータとを備えたＰＣシアター・システムであって、前記コンピュータは、オーディオ／ビデオ・ソースから、オーディオ信号及びビデオ信号を受け取るオーディオ／ビデオ入力部を備え、前記コンピュータは、前記オーディオ／ビデオ入力部に結合されオーディオ信号及びビデオ信号を処理するオーディオ／ビデオ信号プロセッサを備えている、ＰＣシアター・システムにおいて、
前記ビデオ・ディスプレイに結合された第１のプラグ及びディスプレイ・コネクタと、前記コンピュータに結合された第２のプラグ及びディスプレイ・コネクタとを備え、前記第１のプラグ及びディスプレイ・コネクタは、オーディオ信号及びビデオ信号を前記ビデオ・ディスプレイと前記コンピュータとの間で伝送するために前記第２のプラグ及びディスプレイ・コネクタに接続可能であることを特徴とするＰＣシアター・システム。
【請求項１８】
請求項１７記載のシステムにおいて、前記第１のプラグ及びディスプレイ・コネクタは、アナログ・プラグ及びディスプレイ・コネクタであることを特徴とするシステム。
【請求項１９】
請求項１７記載のシステムにおいて、前記第１のプラグ及びディスプレイ・コネクタは、ディジタル・プラグ及びディスプレイ・コネクタであることを特徴とするシステム。
【請求項２０】
請求項１７記載のシステムにおいて、前記第２のプラグ及びディスプレイ・コネクタは、アナログ／ディジタル・プラグ及びディスプレイ・コネクタであることを特徴とするシステム。
【請求項２１】
ディスプレイとコンピュータとの間の相互接続装置において、
オーディオ信号及びビデオ信号を前記コンピュータから受け取るオーディオ／ビデオ入力装置と、
前記オーディオ／ビデオ入力装置に結合され、オーディオ信号及びビデオ信号を処理するオーディオ／ビデオ信号プロセッサと、
前記オーディオ／ビデオ信号プロセッサに結合され且つ前記ディスプレイに結合され、オーディオ信号及びビデオ信号を前記ディスプレイに伝送する強化型ビデオ・コネクタと、
前記強化型ビデオ・コネクタに結合された汎用シリアル・バス・ハブと、
前記汎用シリアル・バス・ハブに結合された汎用シリアル・バスと
を備えていることを特徴とする相互接続装置。
【請求項２２】
請求項１記載の相互接続装置において、前記アナログ／ディジタル・プラグ及びディスプレイ・コネクタはさらに、前記コンピュータへ指令信号を送るよう構成されていることを特徴とする相互接続装置。
【発明の詳細な説明】
【０００１】
【発明が属する技術分野】
この出願は、その全体が本明細書において援用されている、１９９７年８月４日付けで出願された仮り出願Ｓｅｒａｉｌ  Ｎｏ．６０／０５４，６１６に関連する。
本発明は、一般にモダリティ（多重機能：modalities）を備える装置に関し、特に、該装置の種々の構成要素の相互接続性（interconnectivity）に関する。
【０００２】
【従来の技術】
マルチメディア（多重媒体）装置の出現により、情報、娯楽及び通信技術の統合は、非常に需要の多い目標になった。この傾向の例は、例えばパーソナル・コンピュータのようなコンピュータ技術を、例えばテレビジョン（ＴＶ）、ビデオ・ゲーム、電話及びビデオ／レーザ・ディスクのようなコンシューマ／ホーム・エレクトロニクス（消費者／家庭電子機器）技術と統合する試みである。このような統合可能性のある製品の１つは、情報、娯楽及び通信機能を提供することができる単一の統合化された装置である。そのような装置は、少なくとも一部分において、非常に融通性のある製品を消費者に提供するため種々の用途においてパーソナル・コンピュータ（ＰＣ）の使用可能な通信帯域幅、大容量記憶、及びグラフィックス処理能力を利用することができる。
マルチメディアの分野における多くの最近の進歩にも拘わらず、幾つかの問題が残っている。最も重大な困難の一つは、コンピュータを１つ又は複数の消費者／家庭電子装置と相互接続することに関するものである。この種の統合化された装置においては、多重媒体装置のこれらの機能的構成要素間の相互接続は、ユーザが１つの機能から別の機能へ継ぎ目なしの遷移を容易にする要領で、「機能（functionality）」のモードを制御することを可能にすべきである。そのように制御された相互接続性は、単一の製造業者により設計され且つ製造されるマルチメディア装置において実現するには比較的単純であるが、一方、異なる製造業者により提供される異なる機能要素との間の相互接続性を提供するには、不可能でないとしても、疑いもなく極めて複雑となるであろう。
【０００３】
マルチメディア製品の新しい世代に関して、最も関心のある一つは、新しいカテゴリの娯楽製品を創るため、ＴＶとＰＣとを統合収束（convergence）させることにある。これらの製品は、標準のＴＶと使用が同じように容易である真に統合された環境においてＰＣ及びＴＶの特徴を組み合わせることにより、消費者に対してより多くの娯楽の選択を与えるであろう。大きなスクリーン・ディスプレイと結合され、ＰＣシアター（PC Theatre）・システムと呼ばれる適合されたコンピュータの演算能力は、今日利用可能であるディジタルの対話型サービス及び将来利用可能であろう新しいサービスに対して、ディスプレイを優秀な居間の舞台（living room platform）にすることができる。
この新しい製品カテゴリが進歩するにつれ、コンシューマ・エレクトロニクス（家庭電子機器）（ＥＣ）会社は、製造するＴＶにモニタ機能を含める可能性がある。同時に、ＰＣ製造業者は、製造するコンピュータにＴＶ機能を加える可能性がある。ＴＶとＰＣの双方におけるこの増加された機能により、消費者に対する価値が大いに増大される。
【０００４】
【発明が解決しようとする課題】
しかしながら、上記で触れているように、この新しい製品のカテゴリに対する規格（標準）がないので、異なる製造業者からの製品に互換性がない。相互接続性に規格が確立されれば、新しい製品における消費者の信頼、並びにこの新しい製品のカテゴリの進歩を助長する筈である。そのような標準の相互接続性は、双方の産業界の会社が互換性のあるＰＣシアター製品を開発するのを可能にし、そのため消費者は、ディスプレイ及びＰＣを異なる製造業者から選択し、且つケーブルを注文したり複雑なセットアップ手続きの必要なしに、一緒にシステムとして用いることができるようになる。更に、ＰＣシアターの規格は、ＰＣシアター・ディスプレイ及びコンピュータが標準の製品と一緒に用いることができるように、既存の規格と互換可能であるべきである。
本発明は、上記した１つ又は複数の問題点を解消するためのものである。
【０００５】
【課題を解決するための手段】
特許請求の範囲に記載された発明と相応するある局面が以下に記載されている。これらの局面は、単に読者に本発明が取り得る一定の形式の簡単な概要を与えるためのみに提示されており、これらの局面は本発明の範囲を制限することを意図するものではないことを理解すべきである。実際には、本発明は以下に記載されていない種々の局面を包含することができる。
本発明の一局面に従って、ディスプレイとコンピュータとの相互接続装置が提供される。該相互接続装置は、オーディオ信号及びビデオ信号を受け取るオーディオ／ビデオ入力部を含む。オーディオ／ビデオ信号プロセッサは、オーディオ信号及びビデオ信号を処理するためのオーディオ／ビデオ入力部に結合されている。アナログ／ディジタル・プラグ及びディスプレイ・コネクタは、オーディオ／ビデオ信号プロセッサに結合され、且つディスプレイに結合される。アナログ／ディジタル・プラグ及びディスプレイ・コネクタは、オーディオ信号及びビデオ信号をディスプレイに伝送する。ユニバーサル（汎用）・シリアル・バス・ハブは、アナログ／ディジタル・プラグ及びディスプレイ・コネクタに結合されている。ユニバーサル・シリアル・バス・ポートは、汎用シリアル・バス・ハブに結合されている。
【０００６】
本発明の別の局面によれば、ディスプレイとコンピュータとの間の相互接続装置が提供される。該相互接続装置は、オーディオ信号及びビデオ信号を受け取るオーディオ／ビデオ入力部を含む。オーディオ／ビデオ信号プロセッサは、オーディオ信号及びビデオ信号を処理するためのオーディオ／ビデオ入力部に結合されている。アナログ又はディジタル・プラグ及びディスプレイ・コネクタは、オーディオ／ビデオ信号プロセッサに結合され、且つコンピュータに結合されている。アナログ又はディジタル・プラグ及びディスプレイ・コネクタは、オーディオ信号及びビデオ信号をコンピュータに伝送する。ユニバーサル・シリアル・バス・ハブは、アナログ又はディジタル・プラグ及びディスプレイ・コネクタに結合されている。ユニバーサル・シリアル・バス・ポートは、ユニバーサル・シリアル・バス・ハブに結合されている。
【０００７】
本発明の更に別の局面によれば、第１のプラグ及びディスプレイ・コネクタを有するビデオ・ディスプレイを含むＰＣシアター・システムが提供される。コンピュータは、それに結合された第２のプラグ及びディスプレイ・コネクタを有する。第１のプラグ及びディスプレイ・コネクタは、第２のプラグ及びディスプレイ・コネクタに接続可能である。ビデオ・ディスプレイとコンピュータとのうちの少なくとも１つは、オーディオ信号及びビデオ信号を受け取るオーディオ／ビデオ入力部を含む。ビデオ・ディスプレイとコンピュータとのうちの少なくとも１つは、オーディオ／ビデオ入力部に結合されオーディオ信号及びビデオ信号を処理するためのオーディオ／ビデオ信号プロセッサを含む。オーディオ信号及びビデオ信号は、ビデオ・ディスプレイとコンピュータとの間でそれぞれのプラグ及びディスプレイ・コネクタを介して伝送される。
【０００８】
本発明の他の局面によれば、ビデオ・ディスプレイ及びコンピュータを含み、ビデオ・ディスプレイ及びコンピュータのうちの少なくとも１つはオーディオ信号及びビデオ信号を受け取るオーディオ／ビデオ入力部を含み、ビデオ・ディスプレイとコンピュータとのうちの少なくとも１つはオーディオ／ビデオ入力部に結合されオーディオ信号及びビデオ信号を処理するためのオーディオ／ビデオ信号プロセッサを含むＰＣシアター・システムであって、ビデオ・ディスプレイに結合された第１のプラグ及びディスプレイ・コネクタと、コンピュータに結合された第２のプラグ及びディスプレイ・コネクタとを含むＰＣシアター・システムが提供される。第１のプラグ及びディスプレイ・コネクタは、オーディオ信号及びビデオ信号をビデオ・ディスプレイとコンピュータとの間で伝送するため第２のプラグ及びディスプレイ・コネクタに接続可能である。
【０００９】
本発明の更に他の局面によれば、ディスプレイとコンピュータとの間の相互接続装置が提供される。該相互接続装置は、オーディオ信号及びビデオ信号をコンピュータから受け取るオーディオ／ビデオ入力装置を含む。オーディオ／ビデオ信号プロセッサは、オーディオ信号及びビデオ信号を処理するためオーディオ／ビデオ入力装置に結合される。強化されたビデオ・コネクタは、オーディオ／ビデオ信号プロセッサに結合され、且つディスプレイに結合されている。該強化されたビデオ・コネクタは、オーディオ信号及びビデオ信号をディスプレイに伝送する。ユニバーサル・シリアル・バス・ハブは、強化されたビデオ・コネクタに結合されている。ユニバーサル・シリアル・バス・ポートは、ユニバーサル・シリアル・バス・ハブに結合されている。
【００１０】
【発明の実施の形態】
本明細書は以下のドキュメント書類を参照する。
ＶＥＳＡディスプレイ・データ・チャネル（ＤＤＣ）規格、バージョン３．０、１９９７年９月１５日
ＶＥＳＡ拡張ディスプレイ識別（ＥＤＩＤ）規格、バージョン３．０，１９９７年１１月１３日
ＶＥＳＡモニタ制御指令セット（ＭＣＣＳ）規格、Ｖ１．０
ＶＥＳＡディスプレイ・パワー管理信号方式（ＤＰＭＳ）規格、バージョン１．１、１９９３年８月２０日
ＶＥＳＡプラグ及びディスプレイ（Ｐ＆Ｄ）規格、バージョン１．０、１９９７年６月１１日
ＶＥＳＡディスプレイ・モニタ・タイミング仕様（ＤＴＭＳ）、バージョン１．７、１９９６年１２月１８日
汎用シリアル・バス仕様、バージョン１．０、１９９６年１月１５日
ヒューマン・インタフェース用ＵＳＢクラス定義仕様、バージョン１．０、１９９６年１２月１２日
汎用シリアル・バス（ＵＳＢ）・モニタ制御クラス仕様、バージョン１．０、１９９８年１月５日
オーディオ装置用汎用シリアル・バス装置クラス定義、バージョン１．０、１９９８年３月１８日
オーディオ・データ・フォーマット用汎用シリアルバス装置クラス定義、バージョン１．０、１９９８年３月１８日
汎用シリアル・バスＨＩＤ使用テーブル、バージョン１．０、１９９７年１０月３０日
高性能シリアル・バス用ＩＥＥＥ規格、１３９４―１９９５
【００１１】
図面を詳細に説明する前に、ＰＣ及びＴＶが統合（収束）するにつれ、新しい製品カテゴリが創成されるであろうことを、理解すべきである。本明細書に記載されるＶＥＳＡ  ＰＣシアター相互接続性アーキテクチャは、パーソナル・コンピュータ（ＰＣ）会社とコンシューマ・エレクトロニクス（ＣＥ）会社の双方が、互換性があり且つ自己形成型であり、一緒に単一システムとして作動し、且つ使用が容易である製品を開発するのを、可能にする。本明細書の主要な特徴は、ＰＣ（及びセット・トップ・ボックス（set-top box）のような単純な演算装置）と大きなスクリーン・ディスプレイとの間のインタフェースである。
本明細書においては、ＰＣ及びＣＥ製造業者が互換性があり且つ自動構成をサポートするＰＣシアター・コンピュータ及びディスプレイ製品を生産するのを可能にする、ＰＣシアター相互接続性（ＰＣＴＩ）アーキテクチャを説明する。ＰＣＴＩアーキテクチャは、既存のＶＥＳＡ及びＵＳＢ規格をビルディング・ブロックとして用いて作成され、ＰＣによるディスプレイの識別、双方向通信、ＰＣによるディスプレイ制御、ＰＣによるディスプレイの資源の共用、及びオーディオ及びビデオのディスプレイとＰＣとの間の信号伝送（transportation）をサポートする。
【００１２】
ディスプレイがスタンド・アローン・モードにあるとき、チャネル・マッピングのような製品特徴と、（クローズド・キャプション（目の不自由な人のための字幕）の復号（Closed Caption Decoding）及びＶチップ（ V-Chip）のような政府により指令された特徴とが、ディスプレイの内部制御器（コントローラ）により実行され制御される。ディスプレイがスレーブ・モードにあり、ＰＣがチューナの完全な制御権を有し且つチャネル・マップを記憶するとき、ホスト演算装置及びアプリケーション・ソフトウエアは、チャネル・マッピング、クローズド・キャプションの復号、及びＶチップの要件に対して責任を持つことになる。
ＰＣシアターは、演算及び伝統的な形式の媒体と娯楽コンテンツ（娯楽内容）とを併合する消費者娯楽システムである。このシステムは、ＴＶとマルチメディアＰＣとの特徴を組み合わせて、より多くの娯楽の選択を真に統合された環境において、提供する。消費者は、ＴＶを見たり、ＰＣを用いたり、あるいは両方を同時に行いることができる。
【００１３】
図面に目を向け、最初に図１を参照すると、ＰＣシアター・システムが図示されており、該システムは参照番号１０により示されている。ＰＣシアター・システム１０は、２つの主要な構成要素、即ち、ディスプレイ１２と、パーソナル・コンピュータ（ＰＣ）のような演算装置１４とを含む。ＰＣシアター・システム１０はまた、１又は複数のビデオ・ソース１６及び１８を含む。図示されているように、１組のビデオ・ソース１６はＰＣ１４に結合され、別の組のビデオ・ソース１８はディスプレイ１２に直接結合される。ＰＣＴＩ規格により、主にＰＣ１４とディスプレイ１２の間のインタフェースが関係付けられている。
ディスプレイ１２は、ＴＶビデオを表示するための改良機能（エンハンスメント）を有する標準ＶＧＡモニタと同じ機能を有することができる。ディスプレイ１２はまた、標準インタレース型ＴＶビデオを表示する能力を含む、スタンドアローンＴＶの機能の全てを有してもよい。制御信号をディスプレイ１２上の赤外線センサ（図示せず）に供給するための遠隔制御装置２０を、ＰＣシアター・システム１０に含めてもよい。
【００１４】
ＰＣ１４は、ＵＳＢサポート及びビデオ・システムを有しＰＣとビデオ・ソース１６からのＴＶビデオとを組み合わせることができる典型的なマルチメディア（多重媒体）・システムである。ＰＣ１４はまた、ＩＥＥＥ１３９４−１９９５機能を含むことができる。更に、ＰＣシアター・システム１０には、制御信号をＰＣ１４上の無線周波数センサ（図示せず）又は赤外線センサ（図示せず）に供給するための遠隔制御装置２２を含めてもよい。また、ＰＣシアター・システム１０は、ＰＣ１４に標準ケーブル接続部を介して又は標準ＲＦリンクを介して結合され得るキーボード２４を含むことができる。
ＰＣシアター・システムのＰＣ１４とディスプレイ１２との相互接続性を次ぎにより詳細に説明する。この相互接続性は、既存のＶＥＳＡ及びＵＳＢ規格を用いることにより、ＰＣ１４によるディスプレイ１２の識別、双方向通信、ＰＣによるディスプレイ制御、ＰＣ１４によるディスプレイの資源の共用化、及びディスプレイ１２とＰＣ１４との間のオーディオ及びビデオの信号伝送をサポートするためのビルディング・ブロックとして定義される。
【００１５】
ＰＣシアター・インタフェースのキーポイントは、次のとおりである。
・ＰＣ１４及びディスプレイ１２は、図２から図４に図示されているように、ＶＥＳＡプラグ及びディスプレイ（Ｐ＆Ｄ）規格Ｖ１．０コネクタを用いて接続されている。
・ＰＣ１４は、ディスプレイ１２を標準ＲＧＢ又はＴＭＤＳビデオ信号でもって駆動する。
・ＰＣ１４及びディスプレイ１２は、２つの異なる視認モード、即ち、ＰＣグラフィックスの表示のため構成された一方のモードと、ＴＶビデオの表示のため構成された他方のモードとをサポートする。
・ＰＣ１４及びディスプレイ１２は、プログレッシブ（順次）走査されたビデオのフレーム当たり少なくとも４８０のアクティブ・ラインをサポートする。
・ＰＣ１４及びディスプレイ１２は、ディスプレイの能力の識別のためのＶＥＳＡディスプレイ・データ・チャネル（ＤＤＣ）Ｖ３．０及び拡張されたディスプレイ識別データ（ＥＤＩＤ）Ｖ３．０規格をサポートする。
・ＰＣ１４及びディスプレイ１２は、ディスプレイのパワー状態のＰＣ制御のためのＶＥＳＡディスプレイ・パワー管理信号送出（ＤＰＭＳ）規格Ｖ１．１をサポートする。
・ＰＣ１４及びディスプレイ１２は、ＰＣによるディスプレイのソフトウエア制御のためのＵＳＢモニタ制御クラス仕様Ｖ１．０及びＶＥＳＡモニタ制御指令セット（ＭＣＣＳ）規格（プロポーザル）をサポートする。
【００１６】
・ディスプレイ１２及びＰＣ１４は、別個のアナログ・オーディオ・ケーブルを用いて、ステレオ・オーディオを、ＰＣ１４からディスプレイ１２へ、又は随意にディスプレイ１２からＰＣ１４に伝送する。ＰＣ１４はまた、オーディオ・デバイス用ＵＳＢデバイス・クラス定義仕様Ｖ１．０、及びＵＳＢオーディオのサポートのためのオーディオ・データ・フォーマット用ＵＳＢデバイス・クラス定義仕様Ｖ１．０をサポートする。
・全てのユーザ入力（遠隔、キーパッド、ゲームパッド、ディスプレイ・フロント・ボタン・パネル）は、ヒューマン・インタフェース・デバイス（ＨＩＤ）用ＵＳＢクラス定義仕様Ｖ１．０、及びＵＳＢ  ＨＩＤ使用テーブル仕様Ｖ１．０に従って（ディスプレイがスレーブ・モードにあるとき）ＵＳＢを介して処理するためディスプレイ１２からＰＣ１４へ供給される。ディスプレイ１２はまた、ユーザ入力が内部で処理されるスタンド・アローン・モードをサポートする。
【００１７】
ＶＥＳＡ  Ｐ＆Ｄ規格Ｖ１．０は、ディジタル・ディスプレイ（ＴＭＤＳ）、アナログ・ディスプレイ（ＲＧＢ）、ＩＥＥＥ−１３９４の組合わせ、ＵＳＢ，及びＤＤＣに対するサポートにより多くの信号を１つのコネクタに組み合わせる。このコネクタの主たる利点は、実質的に、どのタイプのディスプレイもサポートすることができ、且つＰＣシアターに対して要求された全ての信号もサポートすることができることである。こうして、唯１つのケーブルがＰＣ１４とディスプレイ１２との間に用いられる。また、ＶＥＳＡ強化ビデオ・コネクタ規格をサポートするコネクタのような他のコネクタも用いてもよいことに注目されたい。実際、ＥＶＣコネクタはＰ＆Ｄ−Ａコネクタとして再設計された。
【００１８】
Ｐ＆Ｄコネクタは以下の信号をサポートする。
・アナログ表示をサポートするための標準アナログ・ビデオ信号（ＲＧＢ、Ｈ及びＶ同期）
・ディジタル表示のサポートのための伝送最小化ディジタル信号送出（ＴＭＤＳ）
・ディスプレイへ且つそれからのディジタル・ビデオ及びオーディオ経路のサポートのためのＩＥＥＥ１３９４−１９９５ペア
・ディスプレイ、ユーザ入力をディスプレイからＰＣへ送ること、及びディスプレイへ及びそれからのオーディオ経路のＰＣ制御のサポートのためのＵＳＢ、１２Ｍｂｓ／ｓ
・ディスプレイの能力の識別のためのＤＤＣ２Ｂ
【００１９】
ＰＣシアターのＰＣ１４は、図２に図示されているＰ＆Ｄ−Ａ／Ｄ（アナログ／ディジタル）コネクタ３０をサポートする。ディスプレイ１２は、図３に図示されているＰ＆Ｄ−Ａ（アナログ）コネクタ３２と、図４に図示されているＰ＆Ｄ−Ｄ（ディジタル）コネクタ３４とのうちのいずれかをサポートする。Ｐ＆Ｄ−Ａ／Ｄコネクタ３０は、ディスプレイ１２として用いられるモニタのタイプに応じて、アナログ信号及びディジタル信号の双方を受信及び送信することができる。Ｐ＆Ｄ−Ａコネクタ３２はアナログ・モニタに用いられ、Ｐ＆Ｄ−Ｄコネクタ３４はディジタル・モニタに用いられる。図３に示されるＰ＆Ｄ−Ａコネクタ３２は、Ｐ＆Ｄ−Ａレセプタクルであり、モニタ・ケーブル用に用いられるプラグではないことに注目されたい。同様に、図４に示されるＰ＆Ｄ−Ｄコネクタ３４は、Ｐ＆Ｄ−Ｄレセプタクルであり、モニタ・ケーブル用に用いられるプラグでないことに注目されたい。更に、ＰＣシアター製品がこのＰ＆Ｄ規格をサポートするにも拘わらず、ディスプレイ１２又はＰＣ１４がＰ＆Ｄコネクタを用いないならば、サポートされた信号をＰ＆Ｄコネクタに組み合わせるアダプタ・ケーブルを含んでもよい。
【００２０】
前述したように、ＰＣ１４上のＰ＆Ｄ−Ａ／Ｄコネクタ３０は、Ｐ＆Ｄ−Ａコネクタ３２及びＰ＆Ｄ−Ｄコネクタ３４の双方をサポートする。図５はＰ＆Ｄファミリ内の異なるコネクタ間の相互作用を説明しており、黒く塗られた（blacked-out）接点は、それぞれのコネクタにおいてアクティブな信号経路を示している。図５に図示されているＰ＆Ｄ−Ａコネクタ３２及びＰ＆Ｄ−Ｄコネクタ３４は、それぞれのコネクタのプラグ・バージョンとして示されており、一方Ｐ＆Ｄ−Ａ／Ｄコネクタ３０はコネクタのレセプタクル・バージョンとして示されていることに注目すべきである。明らかなように、アナログ・コネクタ３２とディジタル・コネクタ３４のいずれも、Ｐ＆Ｄ−Ａ／Ｄコネクタ３０にプラグイン（差し込まれ）することができる。
【００２１】
ＰＣシアター・システム１０の基本的構成要素を、これらの構成要素と共に結合する好適なコネクタと共に説明した。次ぎに、ＰＣシアター機能を提供するため用いられる相互接続性信号について説明する。ＰＣシアターのＰＣ１４は、下の表１の信号インタフェース及びコネクタをサポートする。
【表１】
0004079521.tif 000002
【００２２】
ＰＣシアターのディスプレイ１２は、以下の表２の信号インタフェース及びコネクタをサポートする。
【表２】
0004079521.tif 000003
【００２３】
図６は、ＰＣ１４とディスプレイ１２との間のＰＣシアター通信インタフェース３５、並びにディスプレイ１２及びＰＣ１４により受け取られる入力を示している。ディスプレイ１２及びＰＣ１４は、ベースバンド又は変調されたオーディオ／ビデオ（Ａ／Ｖ）入力３６及び３８それぞれを、例えばソース１６又は１８から受け取ることができる。ディスプレイ１２及びＰＣ１４はまた、入力信号を別の入力装置４０から受け取ることができる。なお、該入力装置４０は、キーボード、マウス、遠隔制御装置、ジョイスティック等のような１つ又は複数の装置を含んでいる。信号インタフェースに関しては、それぞれ、ユーザ入力及び指令信号はＵＳＢライン４２及び４４上を伝送され、ディジタル・グラフィックス・ディスプレイ信号はＴＤＭＳライン４６上を伝送され、アナログ・グラフィックス・ディスプレイ信号はＲＧＢライン４８上を伝送され、ディスプレイ識別信号はライン５０上を伝送され、ベースバンド・ビデオ入力信号はライン５２上を伝送され、そして、オーディオ出力及び入力信号はライン５４及び５６上を伝送される。
【００２４】
下記の複数の表の中の個々のＰ＆Ｄ信号が、ＰＣシアター機能のため用いられる。ＰＣ１４用の信号は、ディジタル・ディスプレイ及びアナログ・ディスプレイの双方をサポートする。ディスプレイ１２用の信号は、ディスプレイのタイプに応じて異なっている。
ＰＣ１４は、Ｐ＆Ｄ−Ａ／Ｄコネクタ３０用の表３にリストされた個々の信号をサポートする。
【表３】
0004079521.tif 000004
【００２５】
アナログ・ディスプレイ１２は、Ｐ＆Ｄ−Ａコネクタ３２用の表４にリストされた個々の信号をサポートする。元のＥＶＣ仕様書に明記されたアナログ・オーディオ及びＳ−ビデオ経路は、コネクタのＰ＆Ｄ−Ａバージョンによりサポートされない。
【表４】
0004079521.tif 000005
【００２６】
ディジタル・ディスプレイ１２は、Ｐ＆Ｄ−Ｄコネクタ３４用の表５に示された個々の信号をサポートする。
【表５】
0004079521.tif 000006
【００２７】
ディスプレイ１２及びＰＣ１４はまた表６の中の信号をサポートすることができる。これらの信号は、ディジタル・オーディオ及びビデオの伝送のためのＩＥＥＥ１３９４−１９９５をサポートするため推奨されている。
【表６】
0004079521.tif 000007
【００２８】
Ｐ＆Ｄコネクタのための信号サポートに加えて、ＰＣ１４はまた、別個のアナログ・オーディオ及びビデオ・コネクタのためのサポートを与える。次の仕様はアナログ・オーディオ・サポートに適用している。
１．ソース・インピーダンス−１キロオーム最大
２．負荷インピーダンス−１０キロオーム最小
３．振幅−２Ｖ  ＲＭＳ最大、０．５Ｖ  ＲＭＳ公称
ＰＣ１４はまた、標準ピン割当てを用いている３．５ｍｍステレオ・ジャック上のラインレベル・ステレオ・アナログ・オーディオ出力をサポート可能である。このオーディオ出力コネクタを用いて、別個のアナログ・オーディオ・ケーブルをサポートしてディスプレイ１２内のオーディオ増幅器を駆動する。更に、ＰＣ１４はまた、標準ピン割当てを用いている第２の３．５ｍｍステレオ・ジャック上のラインレベル・ステレオ・アナログ・オーディオ入力をサポート可能である。このオーディオ入力コネクタを用いて、オーディオの入力のための別個のオーディオ・ケーブルをサポートする。ＰＣ１４は更に複合ビデオ入力のための複合ビデオ・コネクタをサポートする。アダプタが複合ビデオ・サポートのため設けられる場合、Ｓ−ビデオ・コネクタを複合コネクタの代わりに用いることができる。
【００２９】
ディスプレイ１２は、２つのＲＣＡジャック上のラインレベル・ステレオ・アナログ・オーディオ入力をサポートする。更に、ＰＣ１４へのビデオ出力がサポートされる場合、ディスプレイ１２はまたオーディオ出力のための２つのＲＣＡジャックと、ビデオ出力のための複合ビデオ・コネクタとを含むことができる。
図６に図示されている通信インタフェース３５を再び参照すると、このインタフェースは、ディスプレイ１２を識別し制御するためＰＣ１４により用いられる。前述したように、通信インタフェース３５は、ＤＤＣ２Ｂ及びＵＳＢ通信リンクを用いて実行される。ＶＥＳＡ  ＤＤＣ２Ｂ規格は、Ｉ2Ｃバスに基づく単純なインタフェースである。このインタフェースは、ＰＣ１４がディスプレイのメモリ空間を読出し、またそれへ書込むのを可能にする。この実施形態においては、ＰＣ１４は常にマスタであり、ディスプレイ１２は常にスレーブである。ＰＣ１４のみが通信トランザクションを開始することができる。
通信インタフェース３５はブートアップ処理の間に用いられ、ＰＣ１４がディスプレイ１２にその機能についての情報に対して問合せるのを可能にする。次いで、この情報を用いて、オペレーティング・システム及びビデオ・システムを構成する。ＤＤＣ２Ｂサポートは、ＰＣ１４及びディスプレイ１２の双方において用いられる。ＶＥＳＡ  ＤＤＣ規格Ｖ３．０のＤＤＣ２Ｂセクションを、より多くの情報について参照してもよい。
【００３０】
汎用シリアル・バス（ＵＳＢ）は、１．５及び１２Ｍｂ／ｓの速度で動作する双方向シリアル・バスである。このバスの双方向の機能は、ＰＣ１４及びディスプレイ１２が通信トランザクションを開始するのを可能にする。この機能は、ディスプレイ１２がディスプレイのフロント・パネル上のボタンの押しのようなイベントについて、ＰＣ１４に知らせるのを可能にする。ＰＣ１４及びディスプレイ１２は、ＰＣ１４によるディスプレイのソフトウエア制御のためのＵＳＢモニタ制御クラス仕様Ｖ１．０及びＶＥＳＡモニタ制御指令セット（ＭＣＣＳ）規格Ｖ１．０をサポートする。ＰＣ１４及びディスプレイ１２はまた、ヒューマン・インタフェース・デバイス（ＨＩＤ）用ＵＳＢクラス定義仕様Ｖ１．０、並びにユーザ入力のディスプレイ１２からＰＣ１４へ伝送し戻すためのＵＳＢ  ＨＩＤ使用テーブル仕様Ｖ１．０をサポートする。更に、ＰＣ１４は、オーディオを移送するためのＵＳＢのサポートのため、オーディオ・デバイス用ＵＳＢデバイス・クラス定義仕様Ｖ１．０及びオーディオ・データ・フォーマット用ＵＳＢデバイス・クラス定義仕様Ｖ１．０をサポートする。
【００３１】
ＰＣシアター・システムはまた、ＩＥＥＥ１３９４−１９９５をサポートする。なお、ＩＥＥＥ１３９４−１９９５は、１Ｇｂ／ｓより大きい速度が可能である高速双方向シリアル・バスである。このバスは、ビデオを移送するため用いられ、またディスプレイを制御するため、又はオーディオを移送するため用いることができる。ＩＥＥＥ１３９４−１９９５仕様は、より多くの情報について参照することができる。本明細書においてはこれ以降、ＩＥＥＥ１３９４−１９９５をＩＥＥＥ−１３９４又は単に１３９４と称する。
ＰＣ１４は、ＵＳＢモニタ制御クラス仕様Ｖ１．０及びＶＥＳＡモニタ制御指令セット（ＭＣＣＳ）規格Ｖ１．０の要件に従って、ＵＳＢを用いてディスプレイ１２を制御する。ＵＳＢに加えて、ディスプレイ制御は、ＤＤＣ２−Ｂ及び１３９４を介してサポートされてもよい。ＰＣ１４がＤＤＣ−２Ｂ、ＵＳＢ及び１３９４ディスプレイ通信をサポートすると仮定すると、ディスプレイとの通信を確立するための推奨される方法は、１３９４インタフェースと通信することを最初に試みることである。これが失敗の場合、ＰＣ１４は、ＵＳＢインタフェースとの通信を確立することを試みるべきである。これが失敗の場合、ＰＣ１４は、ＤＤＣ−２Ｂインタフェースとの通信を確立することを試みるべきである。これが失敗の場合、ＰＣ１４は、ディスプレイ１２がソフトウエア制御をサポートしていないと想定して、ソフトウエア・ユーザ制御インタフェースを使用不能にすべきである。
【００３２】
ＰＣ１４とディスプレイ１２との間の通信が確立されたならば、ＰＣ１４は、ディスプレイ１２のサポートされた制御を要求し、従ってユーザ・インタフェースを環境設定する。この通信プロセスは、図７に示されるブロック図に記載されている。ＰＣ１４は、ディスプレイ１２に記憶されているＥＤＩＤファイルをＤＤＣインタフェースを介して読み出す（ブロック６０）。次いで、ＰＣ１４は、ディスプレイ１２の状態を１３９４インタフェースを介して要求する（ブロック６２）。有効な応答を受け取った場合（ブロック６４）、ＰＣ１４は、サポートされた制御をディスプレイ１２から要求し、ディスプレイ制御ユーザ・インタフェースを環境設定する（ブロック６６及び６７）。否定の場合、ＰＣ１４は、ディスプレイ１２の状態をＵＳＢインタフェースを介して要求する（ブロック６８）。有効な応答を受け取った場合（ブロック７０）、ＰＣ１４は再び、サポートされた制御をディスプレイ１２から要求し、ディスプレイ制御ユーザ・インタフェースを環境設定する（ブロック６６及び６７）。否定の場合、ＰＣ１４は、ディスプレイ１２の状態をＤＤＣ−２Ｂインタフェースを介して要求する（ブロック７２）。有効な応答を受け取った場合（ブロック７４）、ＰＣ１４は再び、サポートされた制御をディスプレイ１２から要求し、ディスプレイ制御ユーザ・インタフェースを環境設定する（ブロック６６及び６７）。否定の場合、ＰＣ１４は、ディスプレイ制御ユーザ・インタフェースを使用不能にする（ブロック７６）。
【００３３】
ディスプレイ１２の識別のため、ＶＥＳＡ拡張ディスプレイ識別データ（ＥＤＩＤ）規格Ｖ３．０のサポートを利用し、ディスプレイの能力をＰＣ１４に通信する。この情報は、圧縮されたメモリ・ブロックとしてディスプレイ１２に記憶されている。
この情報により、オペレーティング・システム及びＰＣビデオ・サブシステムは、ディスプレイ１２との使用のため自身を構成することができる。ＥＤＩＤ構造バージョン１．１のサポートは、全てのＰＣシアター製品のため有利に利用される。更に、ＥＤＩＤ構造バージョン２．０は、システム・ユニット及びディジタル・ディスプレイのために有利に利用される。ＥＤＩＤのバージョン２．０は、ディスプレイ１２内の異なるメモリ・アドレスに存在し、ＥＤＩＤバージョン１．１及び２．０の双方が一緒にサポートされるのを可能にする。ＥＤＩＤ構造バージョン２．０がサポートされる場合、バージョン１．１は依然用いられることに注目されたい。ＥＤＩＤ構造バージョン２．０は、ディジタル・ビデオ・インタフェース及びＵＳＢのサポートのような追加の機能を有するディスプレイにより用いられる追加の情報を含む。ＥＤＩＤ構造バージョンとＥＤＩＤ標準バージョンとは、同一でないことに注目されたい。ＥＤＩＤ標準バージョン３．０がＥＤＩＤ構造１．１及び２．０についての情報のため参照される。
【００３４】
ＰＣ１４はまた、ＵＳＢモニタ制御クラス仕様Ｖ１．０及びＶＥＳＡモニタ制御指令セット（ＭＣＣＳ）規格Ｖ１．０の要件に従って、ＵＳＢを介してサポートされた制御についてディスプレイ１２に問合せる。サポートされた各制御に対して、ディスプレイ１２は、タイプ（連続的又は離散的）、最大値（最小値がゼロであると仮定されている。）、及び現在値（current value）を報告することができる。この情報はＰＣ１４により用いられ、ユーザ制御インタフェースを環境設定する。このユーザ制御インタフェースは、サポートされた制御のグラフィックス・ユーザ・インタフェース（ＧＵＩ）を提供する。ディスプレイによりサポートされる適切なユーザ制御のみが、ユーザに与えられる。
ディスプレイ製造業者は、制御のサポートをＰＣ１４に報告するかどうかの選択の自由を有する。ディスプレイ製造業者が、ディスプレイ１２がスレーブ・モードにあるとき、特定の制御のためにユーザ入力を処理して、ＯＳＤを内部で発生することを希望する場合、ディスプレイ１２は制御のサポートをＰＣ１４に単純に報告しない。この報告されない制御のため、ディスプレイ１２は、この制御のためのユーザ指令をインターセプトし、該指令を内部で処理し、ＯＳＤを内部で発生する。
ＶＥＳＡモニタ制御指令セット（ＭＣＣＳ）規格Ｖ１．０は、ディスプレイ制御の完全なリストを与える。この仕様は、プロトコルと無関係であるよう書込まれ、ＵＳＢモニタ制御クラス定義及びＶＥＳＡ  ＤＤＣ指令インタフェース（ＤＤＣ／ＣＩ）仕様のための基礎として用いられる。
【００３５】
表７におけるディスプレイ制御は、ＰＣシアターのオペレーションのためフラット・パネル・ディスプレイにより利用される。これらの制御の一部は、全ての表示技術には適用しないことに注目すべきである。表示技術が、特定の制御をサポートしない又はサポートするのに大きな困難がある場合、この制御は任意選択である。輝度及びコントラスト制御は、ＰＣモードでコンピュータ・グラフィックスを、またＴＶモードでフルスクリーン・ビデオを見るためのディスプレイを調整するのに用いられる。ボリューム及びバランス制御は、ディスプレイ内のオーディオ増幅器の最小制御を与えるため用いられる。このオーディオ制御は、ＵＳＢモニタ制御クラス定義仕様及びＶＥＳＡモニタ制御指令セット（ＭＣＣＳ）規格Ｖ１．０の中にリストアップされてないことに注目すべきである。むしろ、これらの制御は、オーディオ・デバイス仕様のためのＵＳＢオーディオ・クラス定義の中にリストアップされている。
【表７】
0004079521.tif 000008
【００３６】
表８におけるディスプレイ制御は、ＰＣシアター・オペレーションのためＣＲＴディスプレイにより利用される。輝度及びコントラストは、ＰＣモードでコンピュータ・グラフィックスを、そしてＴＶモードでフルスクリーン・ビデオを見るためのディスプレイを調整するのに用いられる。ジオメトリ（幾何学的形状）制御は、高品質ディスプレイのためのラスタ位置及びサイズ調整の最小量を与えるため用いられる。オーバースキャン制御は、エッジがフルスクリーンＴＶモードで見えないようディスプレイを調整するため用いられる。これは、画像のエッジ上に共通して見られるノイズを隠すため用いられる。ボリューム及びバランス制御は、ディスプレイ内のオーディオ増幅器の最小制御を与えるため用いられる。
【表８】
0004079521.tif 000009
【００３７】
表９における制御は、ＰＣシアターの機能のため先の表にリストアップされた制御に加えて推奨される。一部の制御は、フラット・パネル技術に適用しないことに注目すべきである。
【表９】
0004079521.tif 000010
【００３８】
追加の制御の完全なリストのため、ＶＥＳＡモニタ制御指令セット（ＭＣＣＳ）規格Ｖ１．０を参考することができる。アドレス・ブロックがこの規格における製造業者の特有制御のためとっておかれたことに、注目すべきである。
この実施形態においては、ＰＣ１４は、表８にリストされた全てのＣＲＴ制御、並びに表９にリストされた全ての追加の制御をサポートする。ＰＣ１４上でのこれらの制御に対するサポートは、ディスプレイ１２にＵＳＢを介してサポートされた制御について問い合わせ、ユーザ・インタフェースを構成して提供し、且つ制御指令をディスプレイ１２にＵＳＢを介して送る能力を含む。ＰＣ１４はディスプレイ・セッティング（設定）を各モードの変化後に更新するので、ディスプレイ１２は各モードのため用いられる制御セッティングを記憶しない。
【００３９】
ディスプレイのフロント・ボタン・パネル及び遠隔制御装置からのユーザ入力は、ヒューマン・インタフェース・デバイス（ＨＩＤ）用ＵＳＢクラス定義仕様Ｖ１．０及びＵＳＢ  ＨＩＤ使用テーブル仕様Ｖ１．０に従って処理するために、ＵＳＢを介してＰＣ１４に戻すよう送信される。処理のため全てのユーザ入力をＰＣ１４に送ることは、ディスプレイ１２及びＰＣ１４が共通ユーザ・インタフェースを備える１つのシステムとして作用することを可能にする。フロント・ボタン・パネル及びＩＲ受信機は、ＵＳＢデバイスとして動作するため用いられる。これはフロント・ボタン・パネル及びＩＲ受信機が実際のＵＳＢデバイスでなければならないことを意味しないことに注目されたい。ディスプレイ１２は、ＰＣ１４に対するＵＳＢ制御インタフェースを与えるばかりでなく、Ｉ2Ｃ又は他のタイプの制御バスにより、これらのデバイスを内部的に制御することができる。
ＰＣ１４とディスプレイのボタン・パネル及びＩＲ受信機との間の通信は、互換性を保証するため規格化される。ヒューマン・インタフェース・デバイス（ＨＩＤ）用ＵＳＢクラス定義仕様Ｖ１．０は当該通信を定義し、ＵＳＢ使用テーブル仕様Ｖ１．０は各制御に対して用いられるアドレス値を指定する。これらの仕様を多くの情報について参照する。無線入力デバイスがこの規格に指定されてないので、製造業者が該無線入力デバイスのために、いずれのＩＲ又はＲＦプロトコルを用いるかは自由であることに注目されたい。
【００４０】
ＰＣシアター機能に関して、表１０における入力制御はＰＣ１４上でサポートされる。これらのユーザ制御に対するサポートは、これらの制御をＵＳＢを介して受け取り、ＵＳＢ  ＨＩＢ使用テーブル仕様Ｖ１．０に従って制御指令を復号し、適切なユーザ・インタフェースを提供し、制御に内部的に応答するか、又は制御指令をディスプレイに送るかのいずれかを行う能力を含む。ＰＣ１４は追加の制御コードをもサポートするが、表１０にリストアップされた制御がＰＣ１４によりサポートされることは、有利である。
【表１０】
0004079521.tif 000011
【００４１】
ＶＥＳＡディスプレイ・パワー管理信号送出（ＤＰＭＳ）規格Ｖ１．０はディスプレイ１２における低パワー状態の動作を指定し得て、ＤＰＭＳはＰＣ１４により用いられ、ディスプレイ１２のパワー状態を制御することができる。ＤＰＭＳのモードは、オン、スタンドバイ、中断及びアクティブオフである。水平同期と垂直同期の双方がアクティブであるとき、ディスプレイ１２は完全にアクティブでオン状態にある。ディスプレイ１２は、垂直同期のみがアクティブであるときスタンドバイ状態に入る。このモードでは、スクリーンはブランク（空白）にされるが、ディスプレイ１２は完全にアクティブのままである。ディスプレイ１２は、水平同期のみがアクティブであるとき中断状態に入る。このモードでは、ディスプレイ１２は、非常に低いパワー状態かアクティブオフ状態かのいずれかとなる。アクティブオフ状態では、水平同期及び垂直同期のいずれもアクティブでない。このモードでは、ディスプレイの電子機器は、マイクロコントローラ、ＵＳＢインタフェース及びＩＲ受信機を除いて、完全にシャットダウンされるべきである。双方の同期が回復されるならば、ディスプレイ１２はオン状態に入る。
【表１１】
0004079521.tif 000012
【００４２】
この実施形態においては、ＰＣ１４は、４つのＤＰＭＳ状態の全部（オン、スタンドバイ、中断、及びアクティブオフ）をサポートする。ＰＣ１４は、ＥＤＩＤデータをディスプレイ１２から読出し、サポートされたＤＰＭＳモードを決定する。アクティブオフをサポートするだけであるディジタル・ディスプレイに対して、ＴＭＤＳ送信機が全てのＤＰＭＳモードに対してターンオフされることが望ましい。
ディスプレイは、ＤＰＭＳサポートを同様に提供する。サポートの最小レベルを与えるため、ディスプレイ１２は、ただ２つのモード、即ち、完全なアクティブ・モードと低パワー・モードを含む。勿論、しかしながら、ディスプレイによるＤＰＭＳの完全なサポートは、通常有利である。
【００４３】
ディスプレイ１２は垂直同期ラインをモニタする。この同期ラインがアクティブである場合、ディスプレイ１２はオン及びスタンドバイ・モードに対して完全にアクティブである。垂直同期がアクティブでない場合、ディスプレイ１２は低パワー状態に入り、中断及びアクティブオフ・モードをサポートする。この低パワー・モードでは、フロント・パネル上のパワーＬＥＤが発光を消され（又は色を変え）、そして、マイクロコントローラ、ＵＳＢインタフェース及びＩＲ受信機はアクティブのままである。ＵＳＢ仕様Ｖ１．１では、ＵＳＢパワー管理についての情報を調べる。
アナログ・ディスプレイ及びディジタル・ディスプレイの双方は、ビデオ・データ又はタイミング信号のいずれかが範囲外であるか又は無効である場合、低パワー状態となる。ＯＳＤが問題を消費者に通信するため用いられることが好ましい。
【００４４】
ＰＣシアターのディスプレイ１２及びＰＣ１４は、ＴＶ及びＰＣの２つの動作モードをサポートする。各モードは、そのモードの最良のビデオ品質を提供するように構成される。例えば、ＰＣモードは、コンピュータ・グラフィックスのための最良の設定（セッティング）により表示され、ＴＶモードは、ＴＶビデオのための最良の設定による表示される。特別のビデオ・エンハンスメント（強化）は、むしろ標準のＴＶに近いビデオに対するＴＶモードで用いられる。そのようなビデオ・エンハンスメントの例は、速度走査変調、白ピーキング、黒ストレッチ、及びフレッシュ（flesh）・トーン訂正である。ＶＥＳＡモニタ制御指令セット（ＭＣＣＳ）規格Ｖ１．０における表示モード制御がＰＣ１４により用いられ、これらのディスプレイ・ビデオ強化をＴＶモードにおいて使用可能にし、それらをＰＣモードにおいて使用不能にすることができる。表１２は、ＰＣ１４とディスプレイ１２との双方によりサポートされた典型的なビデオ・モードを含んでいる。
【表１２】
0004079521.tif 000013
【００４５】
表１２にリストアップされたビデオ・モードに加えて、表１３にリストアップされたビデオ・モードのサポートもまた、ＰＣシアターのＰＣ１４及びディスプレイ１２のため考慮することができる。
【表１３】
0004079521.tif 000014
【００４６】
ディジタルＴＶサポートを用いることが、ＰＣシアターのＰＣ１４及びディスプレイ１２との双方に対して好適である。ＡＴＳＣ仕様でディジタル・テレビジョン・フォーマットについての情報を調べることができる。ビデオ・モードについての詳細な情報がこの仕様の範囲を越えているにも拘わらず、以下の規格を、表１２及び表１３にリストアップされたビデオ・モードについてのより多くの情報のために、研究することができる。即ち、ＶＥＳＡディスプレイ・モニタ・タイミング仕様（ＤＭＴＳ）バージョン１．７、１９９６年１２月１８日；ＨＤＴＶ伝送用ディジタル・テレビジョン規格、ＡＴＳＣ  Ａ／５３、１９９５年；ＨＤＴＶ伝送用ディジタル・テレビジョン規格、ＡＴＳＣ  Ａ／５４、１９９５年の使用ガイド；地球放送及びケーブルのためのシステム情報用プログラムＡＴＳＣ  Ａ／６５、１９９７年；スタジオのため及び国際プログラム交換のためのＨＤＴＶ規格−セクション１１Ａ−単色及びカラー・テレビジョン用システムの特性、ＩＴＵ−Ｒ  ＢＴ．７０９、１９９０年のための基本パラメータ値；国家テレビジョン規格委員会（ＮＴＳＣ）、ＩＴＵ−Ｒレポート６２４−４、１９９０年；及びＰＡＬ（位相交番ライン）、ビデオ・カメラ（ＰＡＬ／ＳＥＣＡＭ／ＮＴＳＣ）−測定方法−パート１：非放送、単一センサ・カメラ、初版、ＩＥＣ１１４６、ＩＴＵ−Ｒレポート６２４−４、１９９４年である。
【００４７】
ＰＣ１４及びディスプレイ１２が、構成要素の不必要な複製を防止するため資源を共用することが有利である。例えば、ディスプレイ１２がオプションのテレビジョン・チューナを有する場合、ＰＣ１４はこのデバイスを利用してピクチャ・イン・ピクチャ（      Picture-In a-Picture）（ＰＩＰ）機能を与えることができる。ディスプレイ１２は、当該チューナ及びビデオ・マルチプレクサのソフトウエアをＵＳＢを介してサポートすることができる。ＰＣ１４は、ＵＳＢ指令をチューナに送り、ＶＥＳＡモニタ制御指令セット（ＭＣＣＳ）規格Ｖ１．０における「出力ソース選択１」制御を用いてそれを出力ビデオ・ソースとして選択する。複合ビデオが、複合ビデオ入力コネクタに対する別個のケーブルを介してＰＣ１４に送られる。
ＰＣ１４及びディスプレイ１２はまた、ＰＣ１４がディスプレイ内のチューナ１２を制御するのを可能にするＵＳＢテレビジョン・チューナ制御をサポートすることができる。これらの制御のため、チャネル・マップが、ＰＣ１４により記憶され、制御される。
ＰＣ１４がディスプレイのコネクタ・パネルを使用することは、システムの柔軟性及び拡張性を著しく増大する。所望のビデオ・ソースがディスプレイ１２に接続される場合、ＰＣ１４は、ＶＥＳＡモニタ制御指令セット（ＭＣＣＳ）規格Ｖ１．０における「出力ソース選択１」制御によりＵＳＢを介してソースを選択し、複合ビデオ入力コネクタに対する別個のケーブルを介して複合ビデオを受け取ることができる。
【００４８】
ＰＣ１４及びディスプレイ１２は、要求される統一小売価格（price-point）及び機能に応じて多種の構成を有する。２つの可能性のある構成が本明細書に記載されている。その第１の構成は、ＰＣシアター機能のための最小限の構成であり、一方第２の構成は、ＰＣシアターのフル機能のために含まれる追加のサポートを含む。
図８におけるブロック図は、第１の構成におけるＰＣシアター・システム１０を示している。ディスプレイ１２のキー・サブシステムは、図を単純化するためブロックとして表されている。ディスプレイ電子機器８０は、標準ＶＧＡモニタの全ての機能を表している。制御電子機器８２は、ディスプレイ電子機器８０にＩ2Ｃバス８４により結合され、そして、ディスプレイ・マイクロコントローラ通信及び制御機能を表している。この機能を主ディスプレイ・マイクロコントローラの中に統合化することができるので、ＵＳＢハブ８４が制御電子機器８２の一部であるよう示されている。制御電子機器８２は、オーディオ増幅器８８にＵＳＢバス９０により結合され、次いで該オーディオ増幅器８８は、左スピーカ９２及び右スピーカ９４に結合されている。
【００４９】
制御電子機器８２は、入力信号を制御パネル９６から受け取り、そして、入力及び出力信号はＵＳＢハブ８６を介して制御電子機器へ、また該機器を通じて、該ＵＳＢハブ８６は、適切なＰ＆Ｄコネクタ３２又は３４にＵＳＢ及びＤＤＣインタフェース９８を介して結合されている。ディスプレイ電子機器８０は、指令信号を制御電子機器８２からＩ2Ｃバス８４を介して、又はＰ＆Ｄコネクタ３２又は３４に結合されているＲＧＢインタフェース１００を介して、ＰＣ１４から直接受け取ることができる。
ＰＣ１４は、入力信号を種々のＡ／Ｖ入力１０４から受信するチューナを備えるＡ／Ｖサブシステム１０２を含んでいる。該Ａ／Ｖサブシステム１０２は、Ｐ＆Ｄコネクタ３０にＡ／Ｖインタフェース１０６を介して結合されている。ＰＣ１４はまたルートＵＳＢハブ１０８を含み、該ルートＵＳＢハブ１０８は、Ｐ＆Ｄコネクタ３０にＵＳＢインタフェース１１０を介して結合され、且つまたＵＳＢポート１１２に結合されている。
【００５０】
図８から分かるように、第１の構成において、ＰＣ１４は次の機能をサポートする。
・ＵＳＢ（１２Ｍｂ／ｓ）
・オーディオ（ＵＳＢ及びアナログ）
・表３にリストされた信号サポートを有するＰ＆Ｄ−Ａ／Ｄコネクタ
・Ａ／Ｖサブシステム
ＰＣ１４はまた、１２Ｍｂ／ｓＵＳＢ機能のためのルートＵＳＢハブ１０８及びソフトウエアをサポートする。ＰＣ１４は、該ＰＣ１４によるディスプレイ１２のソフトウエア制御のためのＵＳＢモニタ制御クラス仕様Ｖ１．０及びＶＥＳＡモニタ制御指令セット（ＭＣＣＳ）をサポートする。ディスプレイ１２のこの制御は、サポートされた制御をモニタに問い合わせること、全ての制御をサポートするよう構成すること、及び消費者がディスプレイ・セッティングを調整するのを可能にするユーザ・インタフェースを与えることを含む。ＰＣ１４はまた、ヒューマン・インタフェース・デバイス（ＨＩＤ）用ＵＳＢクラス定義仕様Ｖ１．０と、ディスプレイ１２からＰＣ１４に返送するユーザ入力の伝送のためのＵＳＢ  ＨＩＤ使用テーブル仕様Ｖ１．０とをサポートする。更に、ＰＣ１４は、オーディオを伝送するためのＵＳＢのサポートのため、オーディオ・デバイス用ＵＳＢデバイス・クラス定義仕様Ｖ１．０及びオーディオ・データ・フォーマット用ＵＳＢデバイス・クラス定義仕様Ｖ１．０をサポートする。
【００５１】
オーディオに関して、ＰＣ１４は、ディスプレイ１２に対してＵＳＢ及びアナログ・ステレオ・オーディオ出力の双方をサポートする。ＵＳＢオーディオに対して、ＰＣ１４は、非圧縮の線形１６ビット・ステレオ・オーディオをディスプレイにＵＳＢを介して、オーディオ・データ・フォーマット用ＵＳＢデバイス・クラス定義仕様Ｖ１．０に従って、送ることができる。ＰＣ１４は、最初に、この機能が使用可能にされる前にＵＳＢオーディオがサポートされるか否かを決定するため、ディスプレイ１２に問い合わせる。ＰＣ１４はまたラインレベル・アナログ・オーディオ出力をサポートする。この出力のためのコネクタは、３．５ｍｍステレオ・オーディオ・ジャックであり得る。ＰＣ１４は、オーディオ・デバイス用ＵＳＢデバイス・クラス定義仕様Ｖ１．０に従って、ＵＳＢ及びアナログ・オーディオ・モニタの双方のためＵＳＢを介してディスプレイのオーディオ増幅器８８を制御する。
ＰＣのＡ／Ｖサブシステム１０２は、ＰＣ及びＴＶのビデオ・ソースを組合わせ、且つ該組合されたビデオをディスプレイ１２に送ることができる。このＡ／Ｖサブシステム１０２は、オプションの内部チューナ、即ちディスプレイ１２の中のオプションのチューナからのビデオ及びオーディオと、後部コネクタ・パネルを介する入力とを処理することができる。ＰＣ１４はまた、少なくとも１つの複合ビデオ入力コネクタ、並びにラインレベル・ステレオ・オーディオの入力及び出力用の２つの３．５ｍｍステレオ・ジャックをサポートする。
【００５２】
この第１の構成において、ディスプレイ１２は次の機能をサポートする。
・ＵＳＢ制御（１．５Ｍｂ／ｓ）
・アナログ・オーディオ増幅器
・標準ＶＧＡモニタ電子機器
ディスプレイ１２はまた、ＰＣ１４による制御を使用可能にするため１．５Ｍｂ／ｓＵＳＢ機能をサポートする。１．５Ｍｂ／ｓのサポートは、ダウンストリームＵＳＢコネクタ又はオーディオがサポートされるのを可能にしないことに注目されたい。ディスプレイ１２は更に、ＰＣ１４に対して標準ＨＩＤモニタ制御インタフェースをＵＳＢモニタ制御クラス仕様Ｖ１．０に従って提供し、そして、サポートされた制御を報告することができ、現在の状態を報告することができ、且つ制御指令をＰＣ１４から受け取ることができる。
【００５３】
ディスプレイ１２はまた、ＰＣ１４から受け取られたアナログ・オーディオを処理するためステレオ・オーディオ増幅器８８を含む。アナログ・オーディオ入力に対して、ディスプレイ１２は２つのＲＣＡオーディオ・コネクタを後部パネル上にサポートし、そしてアナログ・オーディオは、通常ＰＣ１４とディスプレイ１２との間の追加のケーブルを利用する。オーディオ増幅器８８は、別個のＵＳＢデバイスとして作用し、オーディオ・デバイス用ＵＳＢデバイス・クラス定義仕様Ｖ１．０の要件に従う。
ディスプレイ１２は、標準モニタのビデオ電子機器をサポートする。ディスプレイ１２は、アナログＲＧＢビデオかディジタルＴＭＤＳビデオかのいずれかを適切なＰ＆Ｄコネクタ３２又は３４を介して受け取り、当該ビデオをユーザのセッティングに従って表示する。
【００５４】
図９におけるブロック図は、第２の構成におけるＰＣシアター・システム１０を図示する。図８と同様に、ディスプレイ１２のキー・サブシステムは、図面の単純化のためブロックとして表されている。また、明瞭のため、先に説明した構成要素の参照番号が、図９に図示されている類似の構成要素を示すため用いられている。ディスプレイ電子機器８０は標準ＶＧＡモニタの全ての機能を表している。制御電子機器８２は、ディスプレイ電子機器８０にＩ2Ｃバス８４により結合され、そして、ディスプレイ・マイクロコントローラ通信及び制御機能を表している。ＵＳＢハブ８６は、この機能が主ディスプレイ・マイクロコントローラの中に統合化されることができるので、制御電子機器８２の一部であるよう示されている。制御電子機器８２は、オーディオ増幅器８８にＵＳＢバス９０により結合され、次いで該オーディオ増幅器８８は左スピーカ９２及び右スピーカ９４に結合されている。
Ａ／Ｖ電子機器１２０は、スタンドアローンＴＶ機能をサポートするためディスプレイ１２に加えられた追加の機能を有している。Ａ／Ｖ電子機器１２０は、制御電子機器８２にＩ2Ｃインタフェース１２２により直接結合されるか、又はＡ／Ｖ電子機器１２０は、制御電子機器８２にＩ2Ｃインタフェース１２６により結合されているチューナ１２４に結合される。Ａ／Ｖ電子機器１２０はまた、信号をＡ／Ｖポート１２８を介して送受信することができる。
【００５５】
制御電子機器８２は入力信号を制御パネル９６から受け取り、入力及び出力信号はＵＳＢハブ８６を介して制御電子機器８２へ、またそれを通過する。なお、該ＵＳＢハブ８６は適切なＰ＆Ｄコネクタ３２又は３４にＵＳＢ及びＤＤＣインタフェース９８を介して結合されている。ディスプレイ電子機器８０は、制御電子機器８２からＩ2Ｃバス８４を介して、又はＰ＆Ｄコネクタ３２又は３４に結合されているＲＧＢインタフェース１００を介して、直接ＰＣ１４から指令信号を受け取ることができる。
第１の構成と同様に、ＰＣ１４は、入力信号を種々のＡ／Ｖ入力１０４から受け取るチューナを備えるＡ／Ｖサブシステム１０２を含んでいる。Ａ／Ｖサブシステム１０２は、Ｐ＆Ｄコネクタ３０にＡ／Ｖインタフェース１０６を介して結合されている。ＰＣ１４はまた、Ｐ＆Ｄコネクタ３０にＵＳＢインタフェース１１０を介して結合され、またＵＳＢポート１１２に結合されているルートＵＳＢハブ１０８を含んでいる。第１の構成に加えて、ＰＣ１４は、ルートＵＳＢハブ１０８に結合されているＵＳＢポート１３０を含んでいる。また、ＰＣ１４は、信号を１３９４ポート１３４から受け取り、これらの信号をＰ＆Ｄコネクタ３０に転送する１３９４＿１３２を含んでいる。
【００５６】
図９から分かるように、第２の構成においては、ＰＣ１４は、第１の構成に関して前述した機能に追加して、次の特徴をサポートする。
・追加のＵＳＢコネクタ
・追加のＡ／Ｖコネクタ
・チューナ
・ＩＥＥＥ−１３９４サポート
Ｐ＆Ｄコネクタ３０を介するＵＳＢサポートに加えて、ＰＣ１４は、前部及び後部パネル上のＵＳＢコネクタをポート１１２及び１３０を介してサポートする。第１の構成においてサポートされた単一の複合ビデオ・コネクタに加えて、ＰＣ１４はまた、前部及び／又は後部パネル上の他のビデオ・コネクタ（複合及びＳ−ビデオ）をサポートする。ＰＣはまた、ディスプレイ１２内のチューナ１２４を必要とせずに、ＴＶを見るための内部チューナをサポートする。また、ＰＣ１４はまた、Ｐ＆Ｄコネクタ３０を介するディスプレイ１２に対するＩＥＥＥ−１３９４のためのサポートを提供し、そして、ＰＣ１４は１３９４ポート１３４を介して前部及び／又は後部パネル上の１３９４コネクタをサポートする。
【００５７】
この第２の実施形態においては、ディスプレイ１２は、第１の構成に関して前述した機能に追加して、次の特徴をサポートする。
・スタンドアローンＴＶ機能
・フロント・ボタン・パネル
・遠隔制御及びＩＲ受信機
・ＵＳＢコネクタ及びオーディオ・サポート
・ＩＥＥＥ−１３９４サポート
ディスプレイ１２は、２つの動作モード、即ち、スタンドアローン・モード及びスレーブ・モードをサポートする。スタンドアローン・モードにおいては、ディスプレイ１２は標準ＴＶとして動作する。標準モニタ電子機器に加えて、ディスプレイ１２はまた、スタンドアローンＴＶ機能を与えることができるＡ／Ｖ電子機器１２０に具現化されるビデオ及びオーディオ・サブシステムを含んでいる。このサブシステムは、１つ又は複数のチューナ１２４、後部パネル上の複数のＡ／Ｖコネクタ１２８、及び複数のビデオ及びオーディオ・マルチプレクサを含んでいる。
【００５８】
このサブシステムは２つの動作モードを有する。スタンドアローン・モードにあるとき、このサブシステムはスタンドアローンＴＶ動作に必要な機能を与える。ＰＣシアターのＰＣ１４に接続され、且つスレーブ・モードにあるとき、チューナ１２４又はＡ／Ｖコネクタからのビデオは、選択されて処理のため制御電子機器８２を介してＰＣ１４に送られる。スレーブ・モードにおいては、ディスプレイ１２は、処理のため全てのユーザ入力をＰＣ１４に通し、オンスクリーン・ディスプレイ（ＯＳＤ）を使用不能にし、ＰＣ１４からのＶＧＡビデオを表示し、ＰＣ１４からのＵＳＢ指令に応答する。
ディスプレイのフロント・パネル９６は、チャネルアップ、チャネルダウン、ボリュームアップ、ボリュームダウン、メニュー、選択、パワー等のためのボタンを含むことができる。フロント・パネル上のこれらのボタンは、２つの動作モードを有する。ディスプレイ１２がスタンドアローン・モードにあるとき、制御電子機器８２は直接ボタンの押圧に応答する。ディスプレイ１２がＰＣシアターのＰＣ１４に接続され且つスレーブ・モードにあるとき、ディスプレイ１２は、ボタンが押され且つＯＳＤを内部で発生してないとき、ＵＳＢ指令をＰＣ１４に送る。ヒューマン・インタフェース・デバイス（ＨＩＤ）用ＵＳＢクラス定義仕様Ｖ１．０及びＵＳＢ  ＨＩＤ使用テーブル仕様Ｖ１．０の要件に従って、ＵＳＢ指令を送ることができる。次いで、ＰＣ１４は、ユーザ入力を処理する。
【００５９】
前述したように、ディスプレイ１２は、遠隔制御及びＩＲ又はＲＦ受信機を含むことができる。該受信機はまた、２つの動作モードを有する。ディスプレイ１２がスタンドアローン・モードにあるとき、上記の遠隔装置からの受信機データは内部で処理される。ディスプレイ１２がＰＣ１４に接続され且つスレーブ・モードにあるとき、上記の遠隔装置のボタン押圧は、ＵＳＢ指令としてＰＣ１４にヒューマン・インタフェース・デバイス（ＨＩＤ）用ＵＳＢクラス定義仕様Ｖ１．０及びＵＳＢ  ＨＩＤ使用テーブル仕様Ｖ１．０の要件に従って、送られる。次いで、ＰＣ１４はユーザ入力を処理する。
ディスプレイ１２は、１２Ｍｂ／ｓＵＳＢハブ及び外部ＵＳＢコネクタ１４０及び１４２を含むことができる。コネクタ１４０及び１４２は、前部及び／又は後部パネル上にあり得る。ＵＳＢコネクタは、通常、ディスプレイのパワー状態（オン又はアクティブ・オン）及び動作モード（スタンドアローン又はスレーブ）に関係なくＰＣ１４に接続されていることに注目されたい。ディスプレイ１２はまた、ＵＳＢオーディオをサポートする。ＵＳＢオーディオのサポートのため、オーディオ増幅器８８は非圧縮の線形ステレオ１６ビットＵＳＢオーディオ・ストリームを、Ｐ＆Ｄコネクタを介してオーディオ・データ・フォーマット用ＵＳＢクラス定義Ｖ１．０の要件に従って受け取る。
ディスプレイ１２はまた、ＩＥＥＥ−１３９４ビデオ処理、及び前部及び／又は後部パネル上のコネクタ１４４をサポートする。１３９４コネクタは、通常、ディスプレイのパワー状態（オン又はアクティブ・オン）及び動作モード（スタンドアローン又はスレーブ）に関係なくＰＣ１４に接続されていることに注目されたい。
【００６０】
次に、ＰＣ１４及びディスプレイ１２に対して利用される操作手順の高レベルの記述が、ＰＣシアター機能を提供し且つ互換性を保証するために、与えられる。適切なＶＥＳＡ又はＵＳＢ仕様でより多くの情報を調べることができる。
ＰＣシアター・システム１０が自身を初期化するときのＰＣシアター・システム１０に対するスタートアップ手順が、以下に記述される。
・アクティブなディスプレイがシステムに接続されているかを決定する。これは、Ｐ＆Ｄコネクタのピン８の電圧が＋２ＶＤＣより大きいかを見て検査することにより決定される。
・Ａ２ｈのＩ2Ｃスレーブ・アドレスで２５６ＫＢ  ＥＤＩＤデータ構造２．０を読出すよう試みる。
・読出しが首尾良くなされた場合、ＥＤＩＤ構造の検査合計を検査することによりＥＤＩＤ２．０データが有効であるか否かを決定する。
・ＥＤＩＤ２．０データが有効の場合、該データを解析（parse）して記憶する。
・解析されたＥＤＩＤ２．０データを用いて、ビデオ・サブシステムを環境設定し、適切なビデオ・インタフェース（ＲＧＢ又はＴＭＤＳ）を付勢する。
・ＥＤＩＤ２．０データを読出す上記試みが失敗の場合、Ａ０ｈのＩ2Ｃスレーブ・アドレスで１２８ＫＢ  ＥＤＩＤデータ構造１．１を読出すよう試みる。
・ＥＤＩＤ構造の検査合計を検査することによりＥＤＩＤ１．１データが有効であるか否かを決定する。
【００６１】
・ＥＤＩＤ１．１データが有効の場合、該データを解析して記憶する。
・解析されたデータを用いて、ビデオ・サブシステムを構成し、適切なビデオ・インタフェース（ＲＧＢ又はＴＭＤＳ）を付勢する。ディジタル・ディスプレイに対して、２４ビットＭＳＢ（最上位ビット）に整列されたＲＧＢ  ＴＦＴのデフォルト構成を仮定する。
・ＥＤＩＤ１．１データを読出す上記試みが失敗の場合、ディスプレイはＤＤＣをサポートしないと仮定し、またデフォルトＲＧＢビット・セッティングを用いる。
・ステータスをＨＩＤモニタ制御デバイスからＵＳＢを介して要求する。
・有効な応答をディスプレイから受け取る場合、サポートされた制御と、各制御のタイプ及び範囲とのリストを要求する。
・サポートされた制御のデータを用いて、ディスプレイ制御パネル・ユーザ・インタフェースを構成する。
・モニタによりサポートされた制御のリストを検査して、チューナがサポートされているか否かを決定する。
・チューナ制御がサポートされている場合、ユーザ・インタフェースを構成してチューナを用い、そしてビデオ・サブシステムを構成してビデオを複合ビデオ・コネクタを介して受け取る。
【００６２】
・モニタによりサポートされた制御のリストを検査して、「出力ソース選択」制御がサポートされるか否かを決定する。
・この出力制御がサポートされている場合、ユーザ・インタフェースを構成してディスプレイの後部コネクタ・パネルを用い、そしてビデオ・サブシステムを構成してビデオを複合ビデオ・コネクタを介して受け取る。
・ディスプレイのデフォルト制御値が内部に記憶されているかを見るため検査する。
・デフォルト値が内部に記憶されていなかった場合、（サポートされているならば）「工場デフォルトを復元する（RestoreFactoryDefault）」又は「セーブされたものを復元する（RestoreSaved）」指令を用いてディスプレイのデフォルト値を復元する。全てのディスプレイ・ピクチャ品質及びジオメトリ制御セッティングを読出し、それらを内部にデフォルトとして記憶する。各サポートされた「ディスプレイモード（DisplayMode）」（生産性、ゲーム、ムービー）に対する処理を繰り返す。
・ディスプレイ内のＵＳＢオーディオ増幅器の状態を要求する。
・有効な応答を受け取る場合、サポートされたオーディオ制御を要求し、そして内部オーディオ・サブシステムを構成して、サポートされたフォーマット（圧縮された、非圧縮、チャネル数等）を用いてＵＳＢオーディオをディスプレイに送る。
・有効なＵＳＢ応答を受け取らない場合、ディスプレイはＰＣシアター機能をサポートしないと仮定し、ユーザ・インタフェースを使用不能にする。
・ディスプレイがスタンドアローン・モードにある場合、ディスプレイ遷移処理手順を用いて、ディスプレイをスレーブ・モードに変える。
【００６３】
次に、ＰＣシアター・ディスプレイ１２がそれ自身初期化するときの、該ＰＣシアター・ディスプレイ１２のためのスタートアップ手順を以下に記載する。ディスプレイ１２のスタートアップ手順は次のとおりである。
１．標準モニタ又はＴＶのいずれかのための通常の初期化手順を実行する。
２．全ての制御を内部に記憶されているセッティングを用いてセットする。
３．スタンドアローンＴＶに対して、内部の「動作モード」制御のステータスを「スタンドアローン」にセットし、標準ＴＶとして動作させる。
４．ディスプレイがスタンドアローン動作をサポートしない場合、内部の「動作モード」制御のステータスを「スレーブ」にセットし、標準モニタとして動作させる。
【００６４】
ＰＣ１４がディスプレイ１２をスタンドアローン・モードからスレーブ・モードに、又はスレーブ・モードからスタンドアローン・モードに遷移させるときの該ＰＣ１４のためのモード遷移手順を以下に記載する。ディスプレイ１２をスタンドアローン・モードからスレーブ・モードに遷移する手順は次のとおりである。
１．「動作モード」指令をディスプレイに送り、「スレーブ」モードに切替える。これは、ＰＣがディスプレイを制御するのを可能にする。
２．「動作モード」制御のステータスを読み戻す。この制御のステータスが「スレーブ」モードを示すまで他のＵＳＢ指令をディスプレイに送らない。必要ならば、読出し処理を繰り返す。
３．「入力ソース選択」指令を送り、ディスプレイを「Ｐ＆Ｄ」入力に切替える。これは、ＰＣがディスプレイのビデオ入力を駆動するのを可能にする。
４．コンピュータがＴＶモードにあり、且つ制御がサポートされている場合、「フォーマットを走査（Scan Format）」指令を送り、ディスプレイを「オーバースキャン」に切替え、また「表示モード」指令を送り、ＴＶビデオの強化を使用可能にする「ムービー」にディスプレイを切替える。更に、内部スクリーン・セーバー及びＤＰＭＳ動作を使用不能にする。
５．コンピュータがＰＣモードにあり、且つ制御がサポートされている場合、「フォーマットを走査」指令を送り、ディスプレイを「アンダースキャン」に切替え、また「表示モード」指令を送り、ＴＶビデオの強化を使用可能にする「生産性（Productivity）」に切替える。
６．現在のモードのため適切なビデオ品質及びジオメトリ指令をディスプレイに送る。
【００６５】
ディスプレイ１２をスレーブ・モードからスタンドアローン・モードに遷移する手順は次のとおりである。
１．「動作モード」指令をディスプレイに送り、「スタンドアローン」モードに切替える。
２．ディスプレイへのＵＳＢ指令通信を使用不能にする。
ディスプレイ１２がスタンドアローン・モードからスレーブ・モードに、又はスレーブ・モードからスタンドアローン・モードに遷移するときの当該ディスプレイ１２のためのモード遷移手順を以下に記載する。スタンドアローン・モードからスレーブ・モードに遷移するためのＰＣシアター・ディスプレイ手順は次のとおりである。
１．「動作モード」指令のステータスを「スレーブ」へのセットとして報告する前に内部遷移が完了するまで待つ。
２．ＰＣからの他のＵＳＢ指令の受け取りを使用可能にする。
３．ディスプレイのＤＰＭＳ動作を使用可能にする。
４．遠隔装置及びフロント・ボタン・パネルからのユーザ入力の内部処理を使用不能にする。
５．ＵＳＢを介しての処理のため全てのユーザ指令をＰＣに送る。
６．内部ＯＳＤを使用不能にする。
【００６６】
ディスプレイ１２をスレーブ・モードからスタンドアローン・モードに遷移する手順は次のとおりである。
１．「動作モード」指令のステータスを「スタンドアローン」へのセットとして報告する前に内部遷移が完了するまで待つ。
２．動作モード及びステータスを除く全てのＵＳＢ指令のＰＣからの受け取りを使用不能にする。
３．ディスプレイのＤＰＭＳ動作を使用不能にする。
４．遠隔装置及びフロント・ボタン・パネルからのユーザ入力の内部処理を使用可能にする。
５．全てのユーザ指令をＰＣに送るのを使用不能にする。
６．ユーザ・インタフェースの内部発生を可能にする。
７．ピクチャ品質及びジオメトリのための内部デフォルト値を復元する。
８．「入力ソース選択」を「チューナ」に切替える。
９．通常ＴＶ動作を再開する。
【００６７】
完全にアクティブなＰＣ１４のための通常動作手順を以下に記載する。
１．キーボード、マウス、ゲームパッド及びディスプレイからの全てのユーザ入力を処理する。
２．適切なユーザ・インタフェースを表示する。
３．内部サブシステムを制御する。
４．制御指令をディスプレイに送る。
ＰＣシアター・ディスプレイ１２のための通常動作手順を以下に記載する。スタンドアローン・モードのためのＰＣシアターのディスプレイ１２の通常動作手順は以下のとおりである。
１．全てのユーザ入力を内部で処理する。
２．適切なユーザ・インタフェースを表示する。
３．適切な制御指令を内部サブシステムに送る。
【００６８】
スタンドアローン・モードのためのＰＣシアター・ディスプレイの通常動作手順は次のとおりである。
１．処理のため全てのユーザ入力をＰＣに送る。
２．ユーザ・インタフェースの内部ディスプレイを使用不能にする。
３．ディスプレイ・サブシステムの内部制御を使用不能にする。
ＰＣシアターのＰＣ１４がスリープ・モードに遷移するときの当該ＰＣシアターのＰＣ１４のためのシャットダウン手順を以下に記載する。
１．「動作モード」指令をディスプレイに送り、「スタンドアローン」モードに切替える。
２．ＰＣに対する通常のシャットダウン手順を実行する。
ＰＣシアター・ディスプレイ１２がスリープ・モードに遷移するときの当該ＰＣシアター・ディスプレイ１２のためのシャットダウン手順を記載する。
１．ディスプレイが「スレーブ」モードにある場合、処理のためユーザ・シャットダウン指令をＰＣに送る。
２．ディスプレイが「スタンドアローン」モードにある場合、通常のシャットダウン手順を実行する。
３．シャットダウン後のＰＣからの全てのＵＳＢ指令を無視する。
【００６９】
本発明は、種々の変更及び代替形式に容易にすることができるものであるが、特定の実施形態が例示により図面に示され且つ本明細書において記載した。しかしながら、本発明は開示された特定の形式に制限されるのを意図するものではないことを理解すべきである。むしろ、本発明は、特許請求の範囲により規定される本発明の技術思想及び範囲内に入る全ての変更、均等物及び代替物をカバーするものである。
【図面の簡単な説明】
【図１】例示のＰＣシアター・システムの高レベル・ブロック図である。
【図２】アナログ／ディジタル（Ａ／Ｄ）プラグ及びディスプレイ（Ｐ＆Ｄ）コネクタの図である。
【図３】アナログＰ＆Ｄコネクタの図である。
【図４】ディジタルＰ＆Ｄコネクタの図である。
【図５】図２、図３及び図４のコネクタ間の相互作用の概略図である。
【図６】ＰＣとディスプレイとの間のＰＣシアター信号インタフェースの図である。
【図７】インタフェースをＰＣとディスプレイとの間に構成するための処理を示すフローチャートである。
【図８】ＰＣシアター・システムの一実施形態の詳細ブロック図である。
【図９】ＰＣシアター・システムの別の実施形態の詳細ブロック図である。
【図１】
0004079521.tif 000015
【図２】
0004079521.tif 000016
【図３】
0004079521.tif 000017
【図４】
0004079521.tif 000018
【図５】
0004079521.tif 000019
【図６】
0004079521.tif 000020
【図７】
0004079521.tif 000021
【図８】
0004079521.tif 000022
【図９】
0004079521.tif 000023